(57)【要約】【課題】複数の領域のうち対象領域に存在する人に応じて対象領域の環境を人ごとに調節することができる制御情報出力システム、機器制御システム、機器制御方法、及びプログラムを提供する。【解決手段】制御情報出力システム１は、情報生成部３と、処理部４と、を備える。情報生成部３は、複数の領域５のうち、受信システム１３と無線通信可能な通信端末７を携帯する人（利用者６）が存在する対象領域（第１の領域５１、及び第２の領域５２）の位置に関する第１情報Ｄ１を生成する。処理部４は、対象領域の環境を調節する機器（エアコン８）を制御するための制御情報Ｄ３を出力する。処理部４は、第１情報Ｄ１と、受信システム１３が通信端末７から受信しかつ人ごとに定められた第２情報Ｄ２と、に基づいて制御情報Ｄ３を決定するように構成されている。【選択図】図１
2018078428.tif 000002
【特許請求の範囲】
【請求項１】
複数の領域のうち、受信システムと無線通信可能な通信端末を携帯する人が存在する対象領域の位置に関する第１情報を生成する情報生成部と、
前記対象領域の環境を調節する機器を制御するための制御情報を出力する処理部と、
を備え、
前記処理部は、前記第１情報と、前記受信システムが前記通信端末から受信しかつ前記人ごとに定められた第２情報と、に基づいて前記制御情報を決定するように構成された
制御情報出力システム。
【請求項２】
前記受信システムは、前記複数の領域と一対一に対応する複数の受信機を有し、
前記情報生成部は、前記複数の受信機が前記通信端末から受信する信号、及び前記複数の受信機と前記複数の領域との対応関係、に基づいて前記第１情報を生成するように構成された
請求項１に記載の制御情報出力システム。
【請求項３】
前記情報生成部は、前記複数の受信機が前記通信端末から受信する信号の受信強度を用いて前記複数の受信機のうち１つの受信機を特定し、前記１つの受信機に一対一に対応する領域を前記対象領域として前記第１情報を生成するように構成された
請求項２に記載の制御情報出力システム。
【請求項４】
前記第２情報は、前記人の属性に関する情報を含む
請求項１〜３の何れか１項に記載の制御情報出力システム。
【請求項５】
前記第２情報は、前記人の健康状態に関する情報を含む
請求項１〜４の何れか１項に記載の制御情報出力システム。
【請求項６】
前記処理部は、前記対象領域に存在する前記人の数と、前記第１情報と、前記第２情報と、に基づいて前記制御情報を決定するように構成された
請求項１〜５の何れか１項に記載の制御情報出力システム。
【請求項７】
前記複数の領域に一対一に対応する複数の領域パラメータを保持する記憶部を更に備え、
前記複数の領域パラメータはそれぞれ、前記複数の領域の環境を前記領域パラメータごとに所定の状態に制御するための情報であり、
前記処理部は、前記複数の領域パラメータのうち前記対象領域に対応する領域パラメータと、前記第１情報と、前記第２情報と、に基づいて前記制御情報を決定するように構成された
請求項１〜６の何れか１項に記載の制御情報出力システム。
【請求項８】
前記複数の領域の各々の特性に応じた複数のカテゴリに関する情報を保持する記憶部を更に備え、
前記処理部は、前記複数のカテゴリのうち前記対象領域のカテゴリと、前記第１情報と、前記第２情報と、に基づいて前記制御情報を決定するように構成された
請求項１〜６の何れか１項に記載の制御情報出力システム。
【請求項９】
前記記憶部は、前記複数のカテゴリに一対一に対応する複数のカテゴリパラメータを更に保持し、
前記複数のカテゴリパラメータはそれぞれ、前記複数の領域を前記カテゴリごとに設定された環境にするための情報であり、
前記処理部は、前記複数のカテゴリパラメータのうち前記対象領域のカテゴリパラメータと、前記第１情報と、前記第２情報と、に基づいて前記制御情報を決定するように構成された
請求項８に記載の制御情報出力システム。
【請求項１０】
請求項１〜９の何れか１項に記載の制御情報出力システムと、
前記第２情報を前記通信端末から無線通信により受信する前記受信システムと、
を備えた機器制御システム。
【請求項１１】
前記人ごとに定められた前記第２情報を前記無線通信により前記受信システムに送信する前記通信端末を更に備えた
請求項１０に記載の機器制御システム。
【請求項１２】
複数の領域のうち、受信システムと無線通信可能な通信端末を携帯する人が存在する対象領域の位置に関する第１情報を生成するステップと、
前記対象領域の環境を調節する機器を制御するための制御情報を、前記第１情報と、受信システムが前記通信端末から受信しかつ前記人ごとに定められた第２情報と、に基づいて決定するステップと、
前記制御情報を出力するステップと、
を有する機器制御方法。
【請求項１３】
コンピュータに、
複数の領域のうち、受信システムと無線通信可能な通信端末を携帯する人が存在する対象領域の位置に関する第１情報を生成する処理と、
前記対象領域の環境を調節する機器を制御するための制御情報を、前記第１情報と、受信システムが前記通信端末から受信しかつ前記人ごとに定められた第２情報と、に基づいて決定する処理と、
前記制御情報を出力する処理と、
を実行させるためのプログラム。
【発明の詳細な説明】
【技術分野】
【０００１】
本発明は、一般に、制御情報出力システム、機器制御システム、機器制御方法、及びプログラムに関し、より詳細には、環境を調節する機器を制御する制御情報出力システム、機器制御システム、機器制御方法、及びプログラムに関する。
【背景技術】
【０００２】
従来、空調安定期へと至る過渡期の快適性を向上させる空気調和機が知られている（例えば特許文献１参照）。特許文献１の空気調和機は、人体検知センサと床温度検知センサとを備えている。空気調和機は、両センサを組み合わせて、風向、風量、圧縮機回転数の少なくともいずれか一つを制御する。これにより、可動体検知センサで空調すべき部屋全体を常時監視して、人の移動を検出すれば、風向等を変更する制御ができ、人移動から遅れることなく人位置の快適性を向上させることができる。
【先行技術文献】
【特許文献】
【０００３】
【特許文献１】特開２０１６−５３４５１号公報
【発明の概要】
【発明が解決しようとする課題】
【０００４】
特許文献１の空気調和機は、空調すべき部屋に存在する人が誰であっても同じ空調の制御にしかならなかった。
【０００５】
本発明は上記課題に鑑みてなされ、複数の領域のうち対象領域に存在する人に応じて対象領域の環境を調節することができる制御情報出力システム、機器制御システム、機器制御方法、及びプログラムを提供することを目的とする。
【課題を解決するための手段】
【０００６】
本発明の一態様に係る制御情報出力システムは、情報生成部と、処理部と、を備える。前記情報生成部は、複数の領域のうち、前記受信システムと無線通信可能な通信端末を携帯する人が存在する対象領域の位置に関する第１情報を生成する。前記処理部は、前記対象領域の環境を調節する機器を制御するための制御情報を出力する。前記処理部は、前記第１情報と、前記第２情報と、に基づいて前記制御情報を決定するように構成されている。前記第２情報は、前記受信システムが前記通信端末から受信する情報であって、かつ前記人ごとに定められた情報である。
【０００７】
本発明の一態様に係る機器制御システムは、上記した制御情報出力システムと、前記第２情報を前記通信端末から無線通信により受信する前記受信システムと、を備えている。
【０００８】
本発明の一態様に係る機器制御方法は、複数の領域のうち、受信システムと無線通信可能な通信端末を携帯する人が存在する対象領域の位置に関する第１情報を生成するステップを有する。前記機器制御方法は、前記対象領域の環境を調節する機器を制御するための制御情報を、前記第１情報と、前記第２情報と、に基づいて決定するステップを有する。前記第２情報は、前記受信システムが前記通信端末から受信する情報であって、かつ前記人ごとに定められた情報である。前記機器制御方法は、前記制御情報を出力するステップを有する。
【０００９】
本発明の一態様に係るプログラムは、複数の領域のうち、受信システムと無線通信可能な通信端末を携帯する人が存在する対象領域の位置に関する第１情報を生成する処理を、コンピュータに実行させる。前記プログラムは、前記対象領域の環境を調節する機器を制御するための制御情報を、前記第１情報と、前記第２情報と、に基づいて決定する処理を、コンピュータに実行させる。前記第２情報は、前記受信システムが前記通信端末から受信する情報であって、かつ前記人ごとに定められた情報である。前記プログラムは、前記制御情報を出力する処理を、コンピュータに実行させる。
【発明の効果】
【００１０】
本発明によれば、複数の領域のうち対象領域に存在する人に応じて対象領域の環境を人ごとに調節することができる。
【図面の簡単な説明】
【００１１】
【図１】図１は、本発明の実施形態１に係る制御情報出力システムを備えた機器制御システムのブロック図である。
【図２】図２は、同上の制御情報出力システムの使用例を説明する概略図である。
【図３】図３は、実施形態１に係る制御情報出力システムの動作を説明するフローチャートである。
【発明を実施するための形態】
【００１２】
（実施形態１）
以下、本発明の実施形態に係る制御情報出力システム１、機器制御システム１００、機器制御方法、及びプログラムについて図１〜図３を参照して説明する。ただし、以下に説明する実施形態は、本発明の様々な実施形態の一つに過ぎない。下記の実施形態は、本発明の目的を達成できれば、設計などに応じて種々の変更が可能である。
【００１３】
（１）機器制御システムの概要
機器制御システム１００は、図１及び図２に示すように、制御情報出力システム１と、受信システム１３と、を備える。機器制御システム１００は更に、複数の通信端末７と、コントローラ２００と、複数のセンサ（複数の温度センサ９）と、を備える。
【００１４】
機器制御システム１００は、複数の機器としての複数のエアコン（エアーコンディショナ）８の各々の動作を制御することにより、複数の領域５を有する建物における各領域５の環境（例えば温度）を、所定の環境（所定の温度）となるように調節することができる。建物は、例えば、フロア（階）ごとに複数の領域５を有するオフィスビルなどである。各領域５は、例えば、化学実験室及び物理実験室などのような実験室、オフィス用の事務室、図書室、フィットネスルーム、洗濯室など、適宜の部屋の空間全体、又は当該空間の少なくとも一部である。以下では、建物が有する部屋ごとに領域５が設定されている場合について説明する。
【００１５】
複数のエアコン８は、複数の領域５に一対一に対応するように配置されている。各エアコン８は、対応する領域５の温度を所定温度（例えば２６度）に調節したり、所定範囲の温度（例えば２４〜２７度）に調節したりすることができる。
【００１６】
複数のエアコン８のうち第１のエアコン８１は、複数の領域５のうち第１の領域５１に配置されており、第１の領域５１の温度を調節する。複数のエアコン８のうち第２のエアコン８２は、複数の領域５のうち第２の領域５２に配置されており、第２の領域５２の温度を調節する。
【００１７】
機器制御システム１００は、各領域５の温度を調節する複数のエアコン８の動作を制御することにより、各領域５の環境を所定の状態に制御する。所定の状態とは、例えば、領域５の温度が所定の温度となる状態である。
【００１８】
複数のセンサは、一例として複数の温度センサ９からなる。複数の温度センサ９は複数の領域５に一対一に対応するように配置されている。各温度センサ９は、温度センサ９の周囲の温度を検知する。各温度センサ９は、温度センサ９が配置された領域５に対応する受信機２に検知結果を送信する。
【００１９】
複数の温度センサ９のうち第１の温度センサ９１は、第１の領域５１に配置されており、第１の領域５１の温度を検知する。複数の温度センサ９のうち第２の温度センサ９２は、第２の領域５２に配置されており、第２の領域５２の温度を検知する。
【００２０】
コントローラ２００は、複数のエアコン８の各々と通信することにより各エアコン８の動作状態を制御する。コントローラ２００は、有線通信又は無線通信により複数のエアコン８の各々と通信する。コントローラ２００は、各エアコン８の動作状態を監視することができる。コントローラ２００は、制御情報出力システム１が出力した制御情報Ｄ３に応じて各エアコン８を制御する。コントローラ２００は、例えば、制御情報Ｄ３に基づいて各エアコン８用の制御信号を生成して各エアコン８に出力することにより、各エアコン８の動作状態を制御する。コントローラ２００は、各エアコン８と同じ領域５に配置されている温度センサ９の検知結果と、各エアコン８の動作状態とに応じて、各エアコン８が配置された領域５の環境状態を調節する。
【００２１】
受信システム１３は、複数の通信端末７の各々と無線通信を行うように構成されている。受信システム１３は、一例として、複数の受信機２を有している。複数の受信機２は、複数の領域５にそれぞれ配置されている。各受信機２は、各通信端末７から第２情報Ｄ２を受信する。
【００２２】
第２情報Ｄ２は、利用者６ごとに定められた情報である。第２情報Ｄ２は、例えば、利用者６が携帯する通信端末７の端末情報と、利用者６にとって快適な環境に関する情報と、を含む情報である。利用者６にとって快適な環境に関する情報は、例えば、温度に関する情報であり、利用者６が快適に感じる温度に関する情報である。通信端末７の端末情報は、通信端末７ごとに割り当てられている情報である。したがって、第２情報Ｄ２は、利用者６ごとに異なる情報となっている。
【００２３】
制御情報出力システム１は、複数の領域５のうち、複数の受信機２と通信可能な通信端末７を携帯する利用者６（人）が存在する対象領域の位置に関する情報（以下、第１情報Ｄ１と呼ぶ）を生成する機能を有する。対象領域は、複数の領域５のうち、複数の受信機２と通信可能な通信端末７を携帯する利用者６が存在する領域である。
【００２４】
制御情報出力システム１は、各受信機２を介して第２情報Ｄ２を各通信端末７から取得する。制御情報出力システム１は、第１情報Ｄ１と、第２情報Ｄ２と、に応じて、対象領域に配置されたエアコン８を制御するための制御情報Ｄ３を生成する機能を有する。制御情報出力システム１は、制御情報Ｄ３をコントローラ２００に出力する機能を有する。
【００２５】
（２）通信端末の構成
複数の通信端末７は、例えば、電波を媒体とする無線信号を周期的に出力する携帯端末である。各通信端末７は、所謂ビーコン端末である。無線信号の通信方式は、一例として、Ｂｌｕｅｔｏｏｔｈ（登録商標）である。無線信号の通信方式は、他にも例えば、Ｗｉ−Ｆｉ（登録商標）、及び特定小無線電力通信などでもよい。各通信端末７（７１，７２，７３）は、建物を利用する複数の利用者６（６１，６２，６３）に携帯される。利用者６は、一例として、複数の通信端末７のうち利用者６ごとに割り当てられた特定の通信端末７を携帯する。より詳細には、第１の利用者６１は、第１の通信端末７１を携帯する。第２の利用者６２は、第２の通信端末７２を携帯する。第３の利用者６３は、第３の通信端末７３を携帯する。つまり、各通信端末７とその利用者６とは一対一に対応する。複数の利用者６はそれぞれ、複数の領域５（複数の部屋）の各々に対して移動自在である。したがって、複数の通信端末７の各々は、利用者６の移動に応じて、複数の領域５の各々に対して移動することになる。
【００２６】
複数の通信端末７は、第２情報Ｄ２を無線信号により周期的にサーバ１０に送信する。第２情報Ｄ２は、例えば、通信端末７の不揮発性メモリなどに保持されている。
【００２７】
（３）受信システムの構成
受信システム１３は、一例として、複数の受信機２を有している。各受信機２は、通信端末７が送出する無線信号を受信する。また、各受信機２は、無線信号が伝送する第２情報Ｄ２を受信する。各受信機２は、受信した無線信号に基づいて、無線信号の受信強度に関する情報を生成する。各受信機２は、電波を媒体とした無線通信により、後述するサーバ１０の情報生成部３に情報を送信するよう構成されている。より詳細には、各受信機２は、通信端末７からの無線信号を受信した後に、第２情報Ｄ２と、受信機情報と、無線信号の受信強度に関する情報と、をサーバ１０に送信する。各受信機２は、受信機２ごとに割り当てられた受信機情報を、受信機２が有する不揮発性メモリなどに保持している。受信機情報は、一例として、３桁の数字からなる番号（００１，００２…）であるが、この例に限定されない。各受信機２は、無線通信に限らず、イーサネット（登録商標）、電力線搬送通信などの有線通信によりサーバ１０に情報を送信してもよい。
【００２８】
ところで、複数の受信機２は、予め定められた複数の領域５にそれぞれ配置されている。つまり、複数の受信機２は、複数の領域５に一対一に対応するように配置されている。各領域５は、例えば、各受信機２を中心とした所定の半径の円内の領域である。所定の半径とは、一例として、受信機２が受信する無線信号の受信強度が所定の閾値以上となる距離を意味する。
【００２９】
複数の受信機２は、複数の通信端末７のうち１つの通信端末７からの無線信号の受信強度に関する情報をサーバ１０に送信する場合がある。例えば、図２では、複数の受信機２のうち第１の受信機２１と第２の受信機２２とがそれぞれ隣り合う第１の領域５１と第２の領域５２に対応するように配置されている。ここで、第１の受信機２１と第２の受信機２２とが両方とも第１の通信端末７１からの無線信号を受信する場合がある。図２では、第１の受信機２１が受信した無線信号の受信強度が、第２の受信機２２が受信した無線信号の受信強度よりも大きい。したがって、サーバ１０は、第１の通信端末７１が第１の受信機２１が配置されている第１の領域５１に存在すると判定することができる。
【００３０】
以下、複数の受信機２のうち少なくとも１つの受信機２が受信した無線信号の受信強度に関する情報と、当該無線信号によって伝送された受信機情報とからなる情報のことを「通知情報」と呼ぶ。通知情報は、後述するサーバ１０の情報生成部３が、複数の領域５において少なくとも１つの通信端末７が存在する領域を特定するための情報である。したがって、複数の受信機２は、複数の領域５のうち通信端末７が存在する領域を通知する通知情報を情報生成部３に出力する。
【００３１】
（４）制御情報出力システムの構成
制御情報出力システム１は、図１及び図２に示すように、情報生成部３と、処理部４と、を備える。制御情報出力システム１は更に、記憶部１２と、通信部１１と、を備えている。制御情報出力システム１は、一例として、サーバ１０を有する。
【００３２】
サーバ１０は、例えば、記憶部１２と、通信部１１と、プロセッサとを具備する。
【００３３】
通信部１１は、複数の受信機２の各々から通知情報を受信する。通信部１１は、複数の温度センサ９の各々から検知結果を受信し、当該検知結果をコントローラ２００に送信する機能を有する。
【００３４】
サーバ１０は、一例として、記憶部１２に保持されているプログラムをプロセッサが読み込んで実行することにより、情報生成部３と、処理部４と、を実現する。サーバ１０は、当該プログラムを記憶部１２から読み込むことに限定されず、サーバ１０の外部からプログラムをダウンロードしたり、サーバ１０の外部にある記憶装置からプラグラムを読み込んだりしてもよい。
【００３５】
記憶部１２は、例えば、ＥＥＰＲＯＭ（Electrically Erasable Programmable Read-Only Memory）のような書き換え可能な不揮発性メモリを含む。記憶部１２は、各受信機２が配置された領域５と、建物に対する各領域５の位置情報とを関連付けた第１テーブルを保持している。記憶部１２は、第１テーブルと、カテゴリ情報と、領域パラメータと、カテゴリパラメータと、を保持している。
【００３６】
第１テーブルは、複数の受信機２及び複数の領域５の対応関係を示す情報である。第１テーブルは、例えば、各受信機２が配置された領域５と、建物に対する各領域５の位置情報とを関連付けた情報テーブルである。各受信機２は、各領域５に一対一に対応するように配置されている。情報生成部３は、複数の受信機２が送信した受信機情報を用いて第１テーブルを参照することにより、複数の領域５のうち通信端末７が存在する領域の位置を特定することができる。
【００３７】
カテゴリ情報は、各領域の特性に応じてカテゴリ分けされた複数の領域５の各々についてのカテゴリに関する情報である。言い換えると、カテゴリ情報は、複数の領域５を、領域の特性が共通するグループに分けるための情報である。カテゴリ情報のカテゴリは、例えば、実験室、事務室、休憩室、給湯室などのように、各領域５で求められる環境状態の違いでカテゴリ分けされている。
【００３８】
領域パラメータ及びカテゴリパラメータは、通信端末７が存在する領域５に関するパラメータである。
【００３９】
領域パラメータは、各領域５に配置された複数の機器の各々の動作状態を指定するための情報である。複数の機器がエアコン８である場合、領域パラメータは、各領域５に配置されたエアコン８の各々の動作状態を指定するための情報である。領域パラメータは、領域５の温度を所定温度にするように指定する情報、及び領域５の温度を所定の温度範囲にするように指定する情報などである。
【００４０】
カテゴリパラメータは、各カテゴリにカテゴリ分けされている領域５に配置された各エアコン８の動作状態を指定するための情報である。カテゴリパラメータは、同一カテゴリに属する複数の領域５の環境を同一の状態に調節するために用いられる。
【００４１】
情報生成部３は、少なくとも１つの受信機２から、第２情報Ｄ２と、通知情報（受信機情報及び受信強度に関する情報）とを受信する。情報生成部３は、通知情報に基づいて、少なくとも１つの通信端末７が存在する領域５が、複数の領域５のうちどの領域５であるかを特定することができる。情報生成部３は、例えば、１つの受信機２から第２情報Ｄ２と通知情報とを受信した場合、通知情報の受信機情報を用いて第１テーブルを参照することにより、１つの通信端末７が存在する領域５を特定することができる。また、情報生成部３は、複数の受信機２から第２情報Ｄ２と、通知情報とを受信した場合、複数の通知情報に含まれる受信強度を比較する。情報生成部３は、特定の通信端末７に関して最も受信強度が大きい通知情報の受信機情報を用いて第１テーブルを参照することにより、特定の通信端末７が存在する領域５を特定することができる。情報生成部３は、特定の通信端末７が存在する領域５に関する第１情報Ｄ１を生成する。
【００４２】
つまり、情報生成部３は、複数の受信機２が通信端末７から受信する信号と、第１テーブル（複数の受信機２及び複数の領域５の対応関係）と、に基づいて第１情報Ｄ１を生成する。
【００４３】
情報生成部３は、第１情報Ｄ１と第２情報Ｄ２とを処理部４に出力する。
【００４４】
ここで、図１及び図２は、通信端末７が１つの場合について図示し、他の通信端末７を省略しているが、通信端末７は複数の場合であっても、情報生成部３は、複数の領域５において各通信端末７が存在する領域５を個別に特定することができる。情報生成部３は、通信端末７ごとに異なる端末情報によって各通信端末７を特定することができるため、上記の説明と同様に、各通信端末７が存在する領域５を個別に特定する。
【００４５】
上記構成によれば、情報生成部３は、通知情報を用いて第１テーブルを参照することにより、通信端末７が存在する領域５を特定することができる。そのため、情報生成部３は、通信端末７から位置情報を取得することなしに通信端末７が存在する領域５を特定することが可能である。つまり、情報生成部３は、複数の領域５のうち、通信端末７を携帯する利用者６が存在する対象領域の位置を特定することが可能である。
【００４６】
また、情報生成部３は、通信端末７が存在する領域５における通信端末７の数をカウントして、当該通信端末７の数に関する情報を処理部４に出力する。すなわち、情報生成部３は、対象領域に存在する利用者６の数に関する情報を処理部４に出力する。
【００４７】
処理部４は、第１情報Ｄ１と第２情報Ｄ２とに基づいて、通信端末７が存在する領域５に配置された各エアコン８を制御するための制御情報Ｄ３を生成する。
【００４８】
処理部４は、制御情報Ｄ３をコントローラ２００に出力する。
【００４９】
処理部４は、対象領域にある通信端末７の数と、対象領域に存在する利用者６とに応じて、対象領域を所定の環境にするためのパラメータを決定する。以下、通信端末７が存在する対象領域を所定の環境にするためのパラメータのことを「制御情報Ｄ３」と呼ぶ。処理部４は、例えば、第１情報Ｄ１、第２情報Ｄ２、第１テーブル、領域パラメータ、及びカテゴリパラメータに応じて制御情報Ｄ３を決定する。
【００５０】
カテゴリパラメータは、表１に示すように、カテゴリごとに設定されている温度情報である。カテゴリは、一例として、実験室、オフィスなどにカテゴリ分けされている。カテゴリパラメータは、例えば、実験室のカテゴリでは２４〜２６度、オフィスのカテゴリでは２５〜２８度に定められている。カテゴリパラメータは、例えば、同一フロア（階）に存在する領域５ごとにカテゴリ分けされていてもよいし、建物ごとにカテゴリ分けされていてもよい。
【００５１】
【表１】
2018078428.tif 000003
【００５２】
領域パラメータは、表２に示すように、領域５ごとに設定されている温度情報であり、領域ごとに異なる温度情報を設定可能である。実験室のカテゴリに含まれる化学実験室の領域パラメータは、一例として、２３〜２５度である。また、領域パラメータは、設定が省略可能であり、一例として、オフィスのカテゴリに含まれる会議室には領域パラメータが設定されていない。
【００５３】
【表２】
2018078428.tif 000004
【００５４】
以下、領域パラメータ及びカテゴリパラメータの少なくとも一方のパラメータのことを「領域の特性」と呼ぶ。複数の領域５の各々には、必ずしも領域の特性が設定されていなくてもよい。
【００５５】
また、複数のカテゴリは、必ずしもカテゴリパラメータを有していなくてもよい。複数のカテゴリは、例えば、温度を指定することなく複数のエアコン８の各々の動作状態を制御する制御情報などを有していてもよい。複数のカテゴリに関する情報は、一例として、コントローラ２００が所定の時間帯においてエアコン８の設定変更を禁止するための情報などでもよい。
【００５６】
処理部４は、１つの通信端末７に関する情報が第１情報Ｄ１に含まれている場合、第２情報Ｄ２に基づいて制御情報Ｄ３を決定する。処理部４は、１つの領域５に複数の通信端末７が存在することを示す情報が第１情報Ｄ１に含まれている場合、複数の第２情報Ｄ２に基づいて制御情報Ｄ３を決定する。
【００５７】
処理部４は、制御情報Ｄ３をコントローラ２００に出力する。コントローラ２００は、制御情報Ｄ３に基づいて、少なくとも１つの通信端末７が存在する領域５に配置された各エアコン８の動作状態を制御することにより、領域５の環境を所定の環境に調節する。
【００５８】
（５）制御情報を決定するための処理部の動作
処理部４が制御情報Ｄ３を決定するための動作について説明する。以下の説明では、第２情報Ｄ２は、通信端末７が存在する領域５の環境に関するパラメータとして温度情報を含んでいる。当該温度情報は、通信端末７が存在する領域５の温度が、通信端末７を携帯する利用者６が快適であると感じる環境の温度を示す情報である。当該温度情報は、通信端末７を携帯する利用者６ごとにあらかじめ定められている。
【００５９】
処理部４は、第１情報Ｄ１、第２情報Ｄ２、第１情報Ｄ１が示す領域５（対象領域）における通信端末７の数、及び対象領域の特性に応じて制御情報Ｄ３を決定する。
【００６０】
まず、対象領域に存在する通信端末７の数が１つである場合に、処理部４が制御情報Ｄ３を決定する動作について図３を参照して説明する。
【００６１】
処理部４は、情報生成部３から第１情報Ｄ１と、第２情報Ｄ２と、通信端末７の数に関する情報と、を取得する（Ｓ１）。処理部４は、通信端末７の数が１つか複数かを判定する（Ｓ２）。処理部４は、通信端末７の数が１つである場合（Ｓ２：１つ）、対象領域に、領域パラメータ及びカテゴリパラメータの何れかによって領域５の特性が設定されているか否かを判定する。対象領域の特性は、対象領域に関して記憶部１２に領域パラメータ及びカテゴリパラメータが保持されているか否かで異なる。処理部４は、対象領域に関する情報を用いて領域パラメータ及びカテゴリパラメータを参照することにより、通信端末７が存在する領域５に領域パラメータ及びカテゴリパラメータの何れかが設定されているか否かを判定する（Ｓ４）。
【００６２】
通信端末７が存在する領域５に領域の特性が設定されていない場合（Ｓ４：設定なし）であって、かつ通信端末７の数が１つである場合（Ｓ６：１つ）、処理部４は、第２情報Ｄ２の温度情報を制御情報Ｄ３として決定する（Ｓ８）。
【００６３】
通信端末７が存在する領域５に領域の特性が設定されている場合（Ｓ４：設定あり）について説明する。処理部４は、第２情報Ｄ２の温度が当該特性の温度の範囲内か範囲外かを判定する（Ｓ５）。第２情報Ｄ２の温度の平均値が当該特性の温度の範囲内である場合（Ｓ５：Ｙｅｓ）、通信端末７の数が１つであるので（Ｓ６：１つ）、処理部４は、第２情報Ｄ２の温度情報を制御情報Ｄ３として決定する（Ｓ８）。第２情報Ｄ２の温度が当該特性の温度の範囲外である場合（Ｓ５：Ｎｏ）、処理部４は、当該特性の温度の範囲のうち第２情報Ｄ２の温度に最も近い値を制御情報Ｄ３として決定する（Ｓ７）。
【００６４】
ここで、領域パラメータとカテゴリパラメータとが両方とも当該領域５に関するパラメータを含んでいる場合、処理部４は、一例として、領域パラメータの情報を制御情報Ｄ３として決定する。また、領域パラメータ及びカテゴリパラメータの何れも当該領域５に関するパラメータを含んでいない場合、処理部４は、対象領域に存在する通信端末７が１つであるか複数であるかを判定する。
【００６５】
次に、対象領域に存在する通信端末７が複数である場合に、処理部４が制御情報Ｄ３を決定する動作について図３を参照して説明する。
【００６６】
処理部４は、通信端末７の数が複数である場合（Ｓ２：複数）、処理部４は、情報生成部３から取得した複数の第２情報Ｄ２の温度の平均値を演算により求め（Ｓ３）、演算結果を記憶部１２に保持させる。処理部４は、対象領域に、領域パラメータ及びカテゴリパラメータの何れかによって領域５の特性が設定されているか否かを判定する（Ｓ４）。対象領域に特性が設定されていない場合（Ｓ４：設定なし）、処理部４は、対象領域に存在する通信端末７が１つであるか複数であるかを判定する（Ｓ６）。通信端末７の数が複数であるので（Ｓ６：複数）、処理部４は、第２情報Ｄ２の温度の平均値を制御情報Ｄ３として決定する（Ｓ９）。
【００６７】
対象領域に特性が設定されている場合（Ｓ４：設定あり）、処理部４は、第２情報Ｄ２の温度の平均値が当該特性の温度の範囲内か範囲外かを判定する（Ｓ５）。第２情報Ｄ２の温度の平均値が当該特性の温度の範囲内である場合（Ｓ５：Ｙｅｓ）、通信端末７の数が複数であるので（Ｓ６：複数）、処理部４は、第２情報Ｄ２の温度の平均値を制御情報Ｄ３として決定する（Ｓ９）。
【００６８】
第２情報Ｄ２の温度の平均値が当該特性の温度の範囲外である場合（Ｓ５：Ｎｏ）、処理部４は、当該特性の温度の範囲のうち第２情報Ｄ２の温度の平均値に最も近い値を制御情報Ｄ３として決定する（Ｓ７）。
【００６９】
ところで、上記の説明では、処理部４は、Ｓ４において領域の特性が設定されているか否かを判定しているが、この判定は必須の構成ではない。処理部４は、例えば、Ｓ４，Ｓ５の処理を省略した構成であってもよい。その場合、処理部４は、例えば、通信端末７の数が１つである場合に第２情報Ｄ２の温度情報を制御情報Ｄ３として決定し、通信端末７の数が複数である場合に第２情報Ｄ２の温度の平均値を制御情報Ｄ３として決定してもよい。
【００７０】
（６）まとめ
以上説明したように、制御情報出力システム１は、情報生成部３と、処理部４と、を備える。情報生成部３は、複数の領域５のうち、受信システム１３（ここでは複数の受信機２）と無線通信可能な通信端末７を携帯する人（ここでは利用者６）が存在する対象領域（第１の領域５１、及び第２の領域５２）の位置に関する第１情報Ｄ１を生成する。処理部４は、対象領域の環境を調節する機器（ここではエアコン８）を制御するための制御情報Ｄ３を出力する。処理部４は、第１情報Ｄ１と、第２情報Ｄ２と、に基づいて制御情報Ｄ３を決定するように構成されている。第２情報Ｄ２は、受信システム１３が通信端末７から受信する情報であって、かつ人（利用者６）ごとに定められた情報である。
【００７１】
上記構成によれば、処理部４は、人が存在する対象領域の位置に関する第１情報Ｄ１と、人ごとに定められた第２情報Ｄ２と、に基づいて、対象領域の環境を調節する機器を制御するための制御情報Ｄ３を出力することができる。したがって、制御情報出力システム１は、複数の領域５のうち対象領域（第１の領域５１、及び第２の領域５２）に存在する人（利用者６）に応じて対象領域の環境を調節することができる。
【００７２】
制御情報出力システム１において、受信システム１３は、複数の領域５と一対一に対応付けられた複数の受信機２を有していることが好ましい。情報生成部３は、複数の受信機２が通信端末７から受信する信号と、複数の受信機２及び複数の領域５の対応関係と、に基づいて第１情報Ｄ１を生成するように構成されている。これにより、情報生成部３は、通信端末７から通信端末７の位置情報を取得しなくても、複数の領域５のうち人が存在する対象領域（つまり通信端末７が存在する領域５）を特定することができる。
【００７３】
制御情報出力システム１において、情報生成部３は、複数の受信機２が通信端末７から受信する信号の受信強度を用いて複数の受信機２のうち１つの受信機２を特定する。情報生成部３は、当該１つの受信機２に一対一に対応する領域５を対象領域として第１情報Ｄ１を生成するように構成されたことが好ましい。上記構成によれば、情報生成部３は、通信端末７から信号を受信することにより、第２情報Ｄ２の取得と、対象領域の特定との両方を行うことができる。
【００７４】
ところで、受信システム１３は、必ずしも複数の受信機２で構成されていなくてもよく、１つの受信機で構成されていてもよい。例えば、複数の通信端末７がＧＰＳ（Global Positioning System）情報を受信システム１３に送信可能に構成されている場合、受信システム１３は、少なくとも１つの受信機を有していればよい。この場合、情報生成部３は、ＧＰＳ情報を用いて記憶部１２が保持している第１テーブルを参照することにより、対象領域の位置を特定することができる。
【００７５】
また、受信システム１３は、複数の受信機２の他にも、例えば、複数のカメラ、及び複数の非接触カードリーダーなどを有していてもよい。複数のカメラはそれぞれ、複数の領域５に配置されていて、各領域５を撮影し、撮影結果を情報生成部３に出力する。情報生成部３は、画像認識の機能などにより領域内の利用者６の存否を判定し、各カメラの設置された領域５と人の存否の判定結果とに基づいて、利用者６が存在する領域５の位置を特定することができる。また、各カメラが画像認識の機能などを有していて、画像認識の認識結果を情報生成部３に出力するように構成されていてもよい。
【００７６】
また、複数の非接触カードリーダーは、例えば、複数の領域５に対応する部屋の施錠及び解錠のための装置であり、各領域５に対応する部屋に対して利用者６が出入りする際に、解錠用のカードキーを非接触で読み取る。非接触カードリーダーは、例えば、利用者６の入退室に関する情報を情報生成部３に出力する。情報生成部３は、利用者６の入退室に関する情報と、各領域５に対応する部屋とに基づいて、利用者６の通信端末７が存在する領域５の位置を特定することができる。
【００７７】
制御情報出力システム１は、前記複数の領域５に一対一に対応する複数の領域パラメータを保持する記憶部１２を備えたことが好ましい。複数の領域パラメータはそれぞれ、複数の領域５の環境を領域パラメータごとに所定の状態に制御するための情報である。処理部４は、複数の領域パラメータのうち対象領域に対応する領域パラメータと、第１情報Ｄ１と、第２情報Ｄ２と、に基づいて制御情報Ｄ３を決定するように構成されている。これにより、処理部４は、第２情報Ｄ２の他に、領域パラメータに基づいて制御情報Ｄ３を決定することができる。
【００７８】
制御情報出力システム１は、複数の領域５の各々の特性に応じた複数のカテゴリに関する情報を保持する記憶部１２を備えたことが好ましい。処理部４は、複数のカテゴリのうち対象領域のカテゴリと、第１情報Ｄ１と、第２情報Ｄ２と、に基づいて制御情報Ｄ３を決定するように構成されている。これにより、処理部４は、第２情報Ｄ２の他に、複数のカテゴリに関する情報に基づいて制御情報Ｄ３を決定することができる。
【００７９】
制御情報出力システム１において、記憶部１２は、複数のカテゴリに一対一に対応する複数のカテゴリパラメータを保持していることが好ましい。複数のカテゴリパラメータはそれぞれ、複数の領域５をカテゴリごとに設定された環境にするための情報である。処理部４は、複数のカテゴリパラメータのうち対象領域のカテゴリパラメータと、第１情報Ｄ１と、第２情報Ｄ２と、に基づいて制御情報Ｄ３を決定するように構成されている。これにより、処理部４は、第２情報Ｄ２の他に、カテゴリパラメータに基づいて制御情報Ｄ３を決定することができる。
【００８０】
実施形態１の機器制御システム１００は、上記した制御情報出力システム１と、第２情報Ｄ２を通信端末７から無線通信により受信する受信システム１３と、を備える。上記構成によれば、機器制御システム１００は、制御情報出力システム１を備えているので、複数の領域５のうち対象領域（第１の領域５１、及び第２の領域５２）に存在する人（利用者６）に応じて対象領域の環境を調節することができる。
【００８１】
機器制御システム１００は更に、人（利用者６）ごとに定められた第２情報Ｄ２を無線通信により受信システム１３に送信する通信端末７を備えたことが好ましい。これにより、受信システム１３は、機器制御システム１００が備えている通信端末７が送信した第２情報Ｄ２を受信することができる。
【００８２】
実施形態１の機器制御方法は、複数の領域５のうち、受信システム１３と無線通信可能な通信端末７を携帯する人（利用者６）が存在する対象領域（第１の領域５１、及び第２の領域５２）の位置に関する第１情報Ｄ１を生成するステップを有する。当該機器制御方法は、対象領域の環境を調節する機器（ここではエアコン８）を制御するための制御情報Ｄ３を、第１情報Ｄ１と、第２情報Ｄ２と、に基づいて決定するステップを有する。第２情報Ｄ２は、受信システム１３が通信端末７から受信する情報であって、かつ人（利用者６）ごとに定められた情報である。当該機器制御方法は、制御情報Ｄ３を出力するステップを有する。これにより、機器制御方法は、複数の領域５のうち対象領域（第１の領域５１、及び第２の領域５２）に存在する人（利用者６）に応じて対象領域の環境を調節することができる。
【００８３】
実施形態１のプログラムは、複数の領域５のうち、受信システム１３と無線通信可能な通信端末７を携帯する人（利用者６）が存在する対象領域（第１の領域５１、及び第２の領域５２）の位置に関する第１情報Ｄ１を生成する処理をコンピュータに実行させる。当該プログラムは、対象領域の環境を調節する機器（ここではエアコン８）を制御するための制御情報Ｄ３を、第１情報Ｄ１と、第２情報Ｄ２と、に基づいて決定する処理をコンピュータに実行させる。第２情報Ｄ２は、受信システム１３が通信端末７から受信する情報であって、かつ人（利用者６）ごとに定められた情報である。当該プログラムは、制御情報Ｄ３を出力する処理をコンピュータに実行させる。これにより、プログラムは、複数の領域５のうち対象領域（第１の領域５１、及び第２の領域５２）に存在する人（利用者６）に応じて対象領域の環境を調節することができる。
【００８４】
ところで、制御情報Ｄ３は、通信端末７が存在する対象領域を機器（エアコン８）が所定の環境にするための情報（パラメータ）であってもよい。制御情報Ｄ３は、例えば、対象領域を所定の環境にするための所定の条件を規定する情報であってもよい。所定の条件とは、機器（エアコン８）が対象領域の温度を調節する場合、例えば、対象領域の温度の上限値及び下限値のうち少なくとも一方を規定する情報であってもよい。
【００８５】
複数の温度センサ９の各々は、例えば、通信端末７に内蔵されていてもよい。その場合、通信端末７は、各温度センサ９の検知結果を複数の受信機２に送信するように構成されていればよい。
【００８６】
複数の機器の各々は、他にも例えば、照明器具、給排水装置、表示装置、音響装置などであってもよい。各機器は、例えば、領域５の明るさ、領域５内の給排水状況、表示装置の表示内容、音響装置の音量などを調節することができる。また、第２情報Ｄ２と、領域パラメータと、カテゴリパラメータとの各々は、温度情報に限定されない。第２情報Ｄ２は、温度、湿度、エアコン８の風量、照明器具の調光レベル、表示装置の輝度、及び音響装置の音量などのうち少なくとも１つを含んでいればよい。その場合、複数のセンサの各々は、温度センサ９に限らず、湿度、明るさ、給排水装置内の水温などを検知可能なセンサであればよい。
【００８７】
利用者６の数は３人に限定される趣旨ではなく、１人又は２人でもよいし、４人以上でもよい。
【００８８】
機器制御システム１００は、必ずしもコントローラ２００を備えていなくてもよい。その場合、サーバ１０は、機器制御システム１００とは別に用意されたコントローラ２００に制御情報Ｄ３を送信するように構成されていればよい。複数の機器の各々を制御するコントローラ２００は、必須の構成ではなく、コントローラ２００に相当する機能をサーバ１０が有している場合には、コントローラ２００は省略可能である。
【００８９】
機器制御システム１００は、上記実施形態では、サーバ１０、受信システム１３、及び通信端末７にて実現されているが、この構成に限らず、例えば、サーバ１０、受信システム１３、及び通信端末７のうちの１つ又は複数の装置で実現されてもよい。例えば、情報生成部３及び処理部４のうちの少なくとも１つの機能が、受信システム１３又は通信端末７に設けられてもよい。更に、情報生成部３及び処理部４のうちの少なくとも１つの機能が、サーバ１０、受信システム１３、及び通信端末７のうちの２つ以上の装置に分散して設けられてもよい。また、サーバ１０、受信システム１３、及び通信端末７の各々の機能が、複数の装置に分散して設けられていてもよい。例えば、サーバ１０の機能が複数の装置（サーバ）に分散して設けられる場合には、情報生成部３と処理部４とが別々の装置に設けられてもよい。
【００９０】
機器制御システム１００の少なくとも一部の機能は、例えば、クラウド（クラウドコンピューティング）によって実現されてもよい。
【００９１】
機器制御システム１００は、建物の他にも、例えば、複数の部屋を有する戸建て住宅などにも用いることができる。
【００９２】
複数の領域５の各々は、１つの部屋に対して１つの領域５が定められることに限らず、１つの部屋に対して複数の領域５が定められていてもよい。例えば、事務室の空間の大きさが、通信端末７が通信可能な距離よりも大きい場合には、事務室に複数の領域５を定めてもよい。領域５は、部屋であることに限らず、例えばグラウンドなどのような屋外施設における特定の領域５であってもよい。
【００９３】
ところで、複数の通信端末７の各々は、ビーコン端末に限らず、例えばスマートフォン、又はタブレット端末などのようなユーザが使用する移動体端末であってもよい。通信端末７は、他にも例えば、携帯可能なパーソナルコンピュータであってもよい。その場合、受信システム１３は、各通信端末７が送出する無線信号を受信できるように構成されていればよい。
【００９４】
（実施形態２）
実施形態２に係る制御情報出力システム１、及び機器制御システム１００について説明する。実施形態２に係る制御情報出力システム１、及び機器制御システム１００において、実施形態１の制御情報出力システム１、及び機器制御システム１００と同様の構成については同一の符号を付して説明を省略する。また、上記した実施形態１の機能に実施形態２の機能を加えた機器制御方法を、実施形態２にも適用できる。上記した実施形態１の機能に実施形態２の機能を加えたプログラムを、実施形態２にも適用できる。
【００９５】
実施形態２の制御情報出力システム１における処理部４は、１つの領域５に複数の通信端末７がある場合の制御情報Ｄ３の決定方法が実施形態１と異なる。実施形態２の制御情報出力システム１における記憶部１２は、第２テーブルを更に有する点が実施形態１と異なる。実施形態２の機器制御システム１００における第２情報Ｄ２は、温度情報が省略されていて、端末情報のみからなる点が実施形態１と異なる。
【００９６】
処理部４は、第１情報Ｄ１、第２情報Ｄ２、対象領域における通信端末７の数、領域５の特性、及び通信端末７の利用者６の属性に応じて、制御情報Ｄ３を決定する。領域５の特性は、当該領域５が領域パラメータ及びカテゴリパラメータによってパラメータが予め指定されている領域５であるか否かを示す情報である。利用者６の属性は、通信端末７の利用者６の性別と健康状態とを含む情報である。
【００９７】
第２テーブルは、利用者６ごとの情報（端末情報と、温度情報と、性別に関する情報と、健康状態に関する情報）を保持している。第２テーブルは、各利用者６に対応する端末情報と、温度情報と、性別に関する情報と、健康状態に関する情報とを関連付ける情報テーブルである。処理部４は、例えば、複数の端末情報のうちの１つの端末情報を用いて第２テーブルを参照することにより、１つの通信端末７を携帯する利用者６に対応する温度情報と、性別に関する情報と、健康状態に関する情報と、を特定することができる。
【００９８】
第２テーブルは更に、重み情報を保持している。重み情報は、処理部４が制御情報Ｄ３を決定する際に用いる情報であり、処理部４が決定する制御情報Ｄ３（ここでは温度に関するパラメータ）は、重み係数に応じて異なる。重み情報は、利用者６の性別に応じて定められた値と、利用者６の健康状態に応じて定められた値と、対象領域に存在する通信端末７の数に応じて定められた値と、を含む。
【００９９】
利用者６の性別が男性の場合の重み係数は、例えば「０．８」であり、利用者６の性別が男性の場合の重み係数は、例えば「１．０」である。利用者６の健康状態は、例えば、健康状態が良好な場合はＡレベル、健康状態に問題がない場合はＢレベル、ＡレベルでもＢレベルでもない健康状態の場合はＣレベルに分けられている。Ａレベル、Ｂレベル、Ｃレベルの重み係数はそれぞれ「１．０」，「１．１」，「１．２」である。対象領域に存在する利用者６の数に応じて定められた重み係数は、例えば、当該利用者６の数が１人以上５人未満の場合は「１．４」、当該利用者６の数が５人以上１０人未満の場合は「１．０」、当該利用者６の数が１０人以上の場合は「０．８」である。対象領域に存在する利用者６の数は、通信端末７の数と等しい。
【０１００】
ここで、第２テーブルが保持しているパラメータの一例を、表３〜表６を参照して説明する。
【０１０１】
表３のパラメータは、端末情報が００１の通信端末７を携帯する第１の利用者６１に関するパラメータである。第１の利用者６１は、男性であって、２４度の環境を好み、健康状態はＡレベルである。表４のパラメータは、端末情報が００２の通信端末７を携帯する第２の利用者６２に関するパラメータである。第２の利用者６２は、女性であって、２７度の環境を好み、健康状態はＢレベルである。表５のパラメータは、端末情報が００３の通信端末７を携帯する第３の利用者６３に関するパラメータである。第３の利用者６３は、男性であって、２９度の環境を好み、健康状態はＣレベルである。表６のパラメータは、対象領域に存在する利用者６の数に応じて定められた重み係数である。
【０１０２】
【表３】
2018078428.tif 000005
【０１０３】
【表４】
2018078428.tif 000006
【０１０４】
【表５】
2018078428.tif 000007
【０１０５】
【表６】
2018078428.tif 000008
【０１０６】
ここで、処理部４が、第２テーブルのパラメータを用いて制御情報Ｄ３を決定する動作の一例について説明する。処理部４は、一例として、式１によって制御情報Ｄ３を決定する。
【０１０７】
（制御情報Ｄ３）＝（（Σ（（利用者６ごとの温度情報）×（利用者６ごとの性別に関する重み係数）×（利用者６ごとの健康状態に関する重み係数））／（利用者６の数））＋（（利用者６の数に関する重み）×（領域５の温度）））／２…（式１）
式１は、男性よりも女性の利用者６の温度情報に近い値となるように制御情報Ｄ３が定められることを示している。式１は、利用者６の健康状態がＣレベル、Ｂレベル、Ａレベルの順に利用者６の温度情報に近い値となるように制御情報Ｄ３が定められることを示している。式１は、利用者６の数に応じて段階的に温度が小さくなるように制御情報Ｄ３が定められることを示している。
【０１０８】
ところで、処理部４は、通信端末７が存在する領域５の特性が記憶部１２に設定されている場合、式１に基づいて求めた温度と、実施形態１で説明した領域５の特性（領域パラメータ又はカテゴリパラメータ）と、に基づいて、制御情報Ｄ３を決定してもよい。処理部４は、例えば、式１に基づいて求めた温度が、領域５の特性で定まる温度範囲から外れている場合には、領域５の特性で定まる温度範囲に最も近い温度にするように制御情報Ｄ３が定められてもよい。制御部が式１を用いて求めた温度と、領域５の特性と、に基づいて制御情報Ｄ３を決定する際の動作については、実施形態１における制御部の動作の説明における「第２情報Ｄ２の温度」を「制御部が式１を用いて求めた温度」に読み替えればよい。
【０１０９】
以上説明したように、実施形態２の制御情報出力システム１において、第２情報Ｄ２は、人（利用者６）の属性に関する情報を含むことが好ましい。ここで言う人（利用者６）の属性は、通信端末７の利用者６の性別と健康状態とを含む情報である。これにより、制御情報出力システム１は、人（利用者６）の属性に基づいて領域５の環境を人（利用者６）ごとに調節することができる。ところで、人（利用者６）の属性は、通信端末７の利用者６の性別及び健康状態の何れかを少なくとも含む情報であってもよい。
【０１１０】
実施形態２の制御情報出力システム１において、第２情報Ｄ２は、人（利用者６）の健康状態に関する情報を含むことが好ましい。ここで言う人（利用者６）の健康状態に関する情報は、予め診断された健康診断の結果を示す情報である。これにより、制御情報出力システム１は、人（利用者６）の健康状態に関する情報に基づいて領域５の環境を人（利用者６）ごとに調節することができる。ところで、人（利用者６）の健康状態に関する情報は、他にも例えば、利用者６の体調に応じて変化する人（利用者６）の気分に関する情報などを含んでいてもよい。その場合、通信端末７は、例えば、利用者６の操作に応じて健康状態に関する情報を変更可能に構成されていてもよい。
【０１１１】
実施形態２の制御情報出力システム１において、処理部４は、対象領域に存在する人（利用者６）の数と、第１情報Ｄ１と、第２情報Ｄ２と、に基づいて決定される制御情報Ｄ３を出力するように構成されたことが好ましい。これにより、処理部４は、対象領域に存在する人の数が１人の場合と複数人の場合とで、異なる内容の異なる制御情報Ｄ３を出力することができる。
【０１１２】
ところで、第２テーブルは更に、利用者６ごとの権限に関する情報を保持していてもよい。権限に関する情報は、１つの領域５に複数の利用者６が存在する場合に、各利用者６の属性に関するパラメータの優先順位を指定する情報である。処理部４は、例えば、１つの領域５に存在する複数の利用者６の各々について権限に関する情報が第２テーブルに保持されている場合、最も優先順位の高い権限のある利用者６の属性パラメータを制御情報Ｄ３として生成してもよい。また、処理部４は、当該権限に関する情報に基づいて重み情報を変更してもよい。
【０１１３】
権限に関する情報は、例えば、サーバ１０のプロセッサが所定のプログラムを実行することにより自動的に第２テーブルに設定されてもよいし、作業者が携帯端末を用いて第２テーブルに手動で設定してもよい。携帯端末は、例えば、スマートフォン、タブレット端末、及び可搬なパソコンなどである。権限に関する情報は、他にも例えば、通信端末７に保持されていてもよい。その場合、処理部４は、制御情報Ｄ３生成システムの通信部１１を介して当該権限に関する情報を取得するように構成されていればよい。
【０１１４】
重み情報は、利用者６の性別に関する重み情報と、利用者６の健康状態に関する重み情報と、を意味することに限らず、例えば、利用者６の年齢、及び体調に応じて変化する気分に関する重み情報であってもよい。また、重み情報は、利用者６の性別に関する重み情報と、利用者６の健康状態に関する重み情報と利用者６の年齢と、体調に応じて変化する気分に関する重み情報と、のうち少なくとも１つの重み情報を含んでいればよい。
【０１１５】
処理部４が制御情報Ｄ３を求めるための上述した式１は一例であり、他にも適宜の式を用いて求めてもよい。
【０１１６】
機器制御システム１００が、複数の温度センサ９に代えて人及び物体の動き（加速度）を検知できるセンサを備えている場合、人及び物体の動きの有無に応じて、制御情報Ｄ３を生成するように構成されていてもよい。機器制御システム１００は、例えば、対象領域内で通信端末７を携帯している利用者６が所定の閾値以上の加速度で動き続けている場合に、利用者６が動いていない場合よりも温度を数度（例えば１度）下げた制御情報Ｄ３を生成するように構成されていてもよい。動き続けている利用者６は、発汗などにより体温が上昇している可能性があるため、利用者６が動いていない場合よりも温度を下げた方が利用者６にとって快適な環境にすることができる。
【０１１７】
処理部４は、制御情報Ｄ３を生成するタイミングが所定の期間内であるか否かに応じて、生成する制御情報Ｄ３の内容を変えてもよい。処理部４は、例えば、所定の期間中（例えば９時から１８時までの期間中）は第１情報Ｄ１及び第２情報Ｄ２に基づいて制御情報Ｄ３を生成するが、当該期間外では制御情報Ｄ３を生成しないように構成されていてもよい。他にも例えば、処理部４は、当該期間中は利用者６の権限に応じた制御情報Ｄ３を生成するが、当該期間外では利用者６の権限に関する情報を用いることなしに制御情報Ｄ３を生成するように構成されていてもよい。
【０１１８】
ところで、第２テーブルにおけるユーザＩＤと当該ユーザＩＤに対応する利用者６に関する情報（端末情報、温度情報、性別、健康状態、及び各重みに関する情報）との関連付けは、変更可能である。例えば、特定の利用者６に携帯されていた通信端末７が別の利用者６に携帯されるように変更可能である。この場合、第２テーブルにおけるユーザＩＤと当該ユーザＩＤに対応する利用者６に関する情報との関連付けが変更されることにより、通信端末７と利用者６とが適切に関連付けられる。
【０１１９】
例えば、病院などの施設において、特定の通信端末７を利用していた利用者６（患者）が退院すると、その特定の通信端末７は別の利用者６（患者）に携帯される場合がある。その場合、通信端末７が存在する領域５も通信端末７の利用者６も変わることになるが、第２テーブルにおけるユーザＩＤと当該ユーザＩＤに対応する利用者６に関する情報との関連付けが変更されることにより、通信端末７と利用者６とが適切に関連付けられる。
【符号の説明】
【０１２０】
１  制御情報出力システム
１０  サーバ
１００  機器制御システム
２  受信機
３  情報生成部
４  処理部
５  領域
６  利用者（人）
７  通信端末
８  エアコン（機器）
９  温度センサ（センサ）
１２  記憶部
１３  受信システム
Ｄ１  第１情報
Ｄ２  第２情報
Ｄ３  制御情報
【図１】
2018078428.tif 000009
【図２】
2018078428.tif 000010
【図３】
2018078428.tif 000011